【事件の表示】
　特願２０１４−　８３５８７「電子機器」拒絶査定不服審判事件〔平成２６年　９月１８日出願公開、特開２０１４−１７０５６４〕について、次のとおり審決する。
【結　論】
　本件審判の請求は、成り立たない。
【理　由】
第１　手続きの経緯・本願発明
　本願は、平成２３年８月１２日を出願日とする特願２０１１−１７７０１２号（以下、「原出願」という。）の一部を、平成２６年４月１５日に新たに特許出願したものであって、平成２７年７月２４日付けで拒絶理由が通知され、それに対して同年９月２８日付けで手続補正がなされたが、平成２８年２月４日付けで拒絶査定がなされ、それに対して同年５月２日に拒絶査定不服の審判請求がされたものである。
　本願の請求項１〜６に係る発明は、平成２７年９月２８日付けの手続補正により補正された特許請求の範囲の請求項１〜６に記載された事項により特定されるものと認められるところ、本願の請求項１に係る発明（以下、「本願発明」という。）は以下のとおりである。　　
「【請求項１】
　電子機器であって、
　コンテンツに関連する表示物のデータを取得する取得部と、
　タッチパネルを有するディスプレイに表示する画像を生成する表示制御部とを備え、
　前記表示制御部は、
　複数の表示物を並べて配置する表示処理部と、
　タッチパネルにおける表示物に対するタップ操作を、表示物の選択指示として取得する受付部と、を有し、
　前記受付部がタップ操作による第１表示物の選択指示を取得すると、前記表示処理部は、第１表示領域に、選択された第１表示物と、選択されていない第２表示物とを含む複数の表示物を並べて表示しつつ、第２表示領域に、選択された第１表示物に対応付けられているコンテンツのアイコン画像およびコンテンツ情報を並べた第１コンテンツリストを表示するものであって、前記表示処理部は、第１表示領域における所定領域に、選択された第１表示物を配置し、
　前記受付部が、第１表示領域におけるタップ操作による第２表示物の選択指示を取得すると、前記表示処理部は、第１表示領域における所定領域に、選択された第２表示物を移動させるとともに、第２表示領域に、選択された第２表示物に対応付けられているコンテンツのアイコン画像およびコンテンツ情報を並べた第２コンテンツリストを表示する、
　ことを特徴とする電子機器。」
　　　
第２　引用文献・引用発明
（１）原査定の拒絶の理由に引用された特開２００３−３３０５８７号公報（以下、「引用文献」という。）には、図面とともに次の記載がある。
（ア）「【０００４】
【発明が解決しようとする課題】近年のこの種の携帯情報端末は、選択すべき機能が増加しており、上位概念のアイコンを表示するメイン表示画面（上位層表示画面）に全てのアイコンを表示することが困難になっている。そこで、これら従来技術では、前記メイン表示画面から１つの上位アイコンを選択すると、この上位アイコンの下位概念である複数の下位アイコンを備えたサブ表示画面（下位階層表示画面）を表示して、これらの下位アイコンからさらに選択操作させる階層構造の表示画面を備えるのが一般的となっている。
【０００５】しかし、これらの階層構造の表示画面では、表示画面が全て切り替わるために、上位アイコンに含まれる下位アイコンを知るためには選択してみないと分からなくなっている。このため、特定の下位アイコンを探すためには、下位表示画面から上位表示画面に戻って再度操作選択する操作が頻繁に行なわれている。
【０００６】そこで、この発明が目的とするところは、上位階層と下位階層の操作キーを１つの表示画面に効率よく表示させることで、操作性と視認性を向上した携帯情報端末機及びその操作表示方法を提供することにある。」
　　
（イ）「【０００９】
【発明の実施の形態】以下、図１から図９を参照して、本発明に係る携帯情報端末の実施の形態を詳細に説明する。図１から図７が第１の実施の形態に係る携帯電話、図８が第２の実施の形態に係る携帯電話、図９が第３の実施の形態に係る携帯電話を示している。なお、この実施の形態の説明では、前記第１の実施の形態と同等な構造や部位などは同一の符号を持って示し、重複した説明を省略する。また、以下の説明では、携帯電話を実施の形態として説明するが、これに限定されるものではなく、他の電子機器に適用することもできる。」
（ウ）「【００３０】図５において、この携帯電話１００で使用するアイコンのテーブルは、上位階層となるアイコンＡからＨと、この上位階層のアイコンの下位階層となるアイコンが設定されて、前記メモリ１１７に格納されている。図５は、縦軸のカテゴリー欄５０に上位階層であるアイコンＡ〜Ｈの項目を示し、横軸の小項目欄５１に下位階層のアイコンの項目を示している。上位階層のアイコンＡからＨには、Ａにメールを、Ｂにメインを、Ｃにサービスを、Ｄに待受設定を、Ｅに通話設定を、Ｆにお役立ちを、Ｇにマイ手帳を、Ｈに電話帳をそれぞれ設定している。これら上位階層のアイコンは、それぞれ３個または４個の下位階層のアイコン（小項目）が設定されている。この図５においては、上位階層のアイコンＡ〜Ｈに含まれる下位階層のアイコン（小項目）をＡ〜Ｈに対して１〜４の数字をつけて表示する。例えば、上位階層のアイコンＡの下位階層のアイコンの機能である小項目Ａ１はＥメールを、小項目Ａ２はメッセージを、小項目Ａ３はチャットを表すとする。アイコンＢは小項目Ｂ１〜Ｂ４に分かれており、例えばＢ３はマイデータ設定を示す。アイコンＣは小項目Ｃ１〜Ｃ４に分かれており、例えばＣ４はアプリケーションを示す。アイコンＤは小項目Ｄ１〜Ｄ４に分かれており、例えばＤ４はセキュリティを示す。項目Ｅは小項目Ｅ１〜Ｅ４に分かれており、例えばＥ４は留守電／転送を示す。アイコンＦは小項目Ｆ１〜Ｆ４に分かれており、例えばＦ４はガイド／特別を示す。アイコンＧは小項目Ｇ１〜Ｇ４に分かれており、例えばＧ４は電卓を示す。アイコンＨは小項目Ｈ１〜Ｈ４に分かれており、例えばＨ３は発信履歴を示す。」　　
（エ）「【００３７】次に、図７を参照して、具体的な操作表示方法を説明する。ここで、この実施の形態では、前記ポインティング部１１２の操作信号を前記ＣＰＵ１２１が受け付けて、これに基づいて、前記メモリ１１７から各種の画像データを呼び出して前記ディスプレイ部１０１に表示する。以後の説明では、使用者が操作する観点に立って説明する。
【００３８】先ず、この携帯電話１００では、図示しない電源スイッチをＯＮ操作することで図示しない待受画面を表示することができる。この状態から、前記ポインティング部１１２を操作することで図７の（ａ）図に示すメニュー画面となる表示画面１０を表示させることができる。この表示画面１０は、選択エリア２に何れかのアイコンが存在し、その下位階層のアイコンが下位階層表示エリア３に表示されている。例えば、この実施の形態では、初期設定としてアイコンＡが選択エリア２に存在し、下位階層のアイコンＡ１からＡ４の中でＡ１が拡大表示（選択状態）の表示画面が設定されている。もちろん、これに限定されるものではなく、自由に初期設定を変更してもよいし、あるいは、前回使用した下位階層のアイコンを前記メモリ部１１７に記憶しておき、これを表示させるようにしてもよい。
【００３９】さて、図７（ａ）の状態で、決定キー６０を押下することで、下位階層のアイコンＡ１を実行することができる。このアイコンＡ１が目的のアイコンではない場合、（ｂ）図のように前記カーソル移動キー６２の下キー６２ｂを押下すると、アイコンＡ２が拡大表示され（アイコンＡ１が元の状態に戻る）、アイコンＡ１からアイコンＡ２に選択が移動する。更に下キー６２ｂを押下するとアイコンＡ３、Ａ４へと選択を移動させることができる。前記したように上キー６２ａを押下すると、アイコンＡ１からアイコンＡ４へ選択を移動させることができる。
【００４０】一方、前記回転操作部６１の時計回りの操作またはカーソル移動キー６２の右キー６２ｄの操作で、（ａ）図の状態から、上位階層のアイコンＡからＨがそれぞれ時計回りに１個ずつ移動して、（ｃ）図に示すように、アイコンＢが選択エリア２に移動した状態にすることができる。この表示画面では、アイコンＢが選択エリア２に存在するので、下位階層表示エリア３にアイコンＢの下位階層のアイコンＢ１からＢ４が表示され、最上段のアイコンＢ１が拡大表示される。この状態で下位階層のアイコンを選択したければ（ｂ）図の操作を行なえばよい。また、別の上位階層のアイコンを選択したければ、更に前記回転操作部６１またはカーソル移動キー６２を操作すればよい。なお、前記したように反時計回りの回転動作を行なうこともできる。
【００４１】前記目的の下位階層のアイコンを選択したら、前記決定キー６０を押下することで、この下位階層のアイコンに対応した機能画面を表示することができる。例えば、（ｄ）図は（ａ）図の状態（アイコンＡ１の選択状態）で決定キー６０が押下された状態を示している。この機能画面は、例えば、複数の選択内容がリスト形式で表示された画面を示している。
【００４２】以上述べたように、この実施の形態に係る携帯電話１００では、回転操作部６１とカーソル移動キー６２と決定キー６０とを備えたポインティング部１１２の操作で、１つの表示画面１０を切り替えることなく、表示画面１０を効率的に活用して迅速かつ容易に、かつ人間の感覚に対応して検索を行うことができる。」
　　
（オ）「【００４７】次に、図９を参照して第３実施の形態に係る携帯電話１００ｂを説明する。図９はメニューの選択動作を説明するためのトップメニューの移動とポインティングデバイスの操作の関係を示す図である。この実施の形態に係る携帯電話１００ｂの表示画面１０ｂは、表示画面の片側に縦長の軌道１の一部を表示し、他の片側に下位階層表示エリア３を備えたものである。この実施の形態では、軌道１の一部を表示画面上に表示し、軌道１の他の部分を仮想的に表して隠蔽しているので、表示画面の他の片側に形成される空白部を広く取れるので、この広い空白部を利用して広い下位階層表示エリア３を配置することができる。ここで、この実施の形態では、前記軌道の一部が隠蔽されるので上位階層のアイコンの全体像がつかみ難いので、上下方向の中央に配置される選択エリア２の上下位置に少なくとも前後のアイコンを表示するようにする。これにより、次に選択エリア２に移動するアイコンを把握することができる。他の操作は、図８と同様に付き、説明を省略する。
【００４８】なお、前記で説明した実施の形態では、回転操作部６１を備えたポインティング部１１２で説明したが、これに限定されるものではなく、２つのスクロールキーと決定キーを備えていればよい。」
　上記記載によれば、第３実施の形態に係る携帯電話１００ｂについて次のことがいえる。
ａ．【００３７】の記載によれば、ポインティング部１１２の操作信号をＣＰＵ１２１が受け付けて、これに基づいて、メモリ１１７から各種の画像データを呼び出してディスプレイ部１０１に表示するものである。
ｂ．【００３８】の記載によれば、ポインティング部１１２を操作することで図９の（ａ）図に示すメニュー画面となる表示画面１０ｂをディスプレイ部１０１に表示させることができ、【００４７】の記載及び図９の（ａ）図によれば、軌道１上には、上位階層のアイコンＡからＨが配置され、表示画面１０ｂは、表示画面の片側に縦長の軌道１の一部を表示し、他の片側に下位階層表示エリア３を備えたものであり、前記軌道の一部を表示は、上下方向の中央に配置される選択エリア２に何れかの上位階層のアイコンを表示し、その上下位置に少なくとも前後の上位階層のアイコンが表示されるものであって、一つの上位階層のアイコンを選択エリア２に移動した状態にすることができ、下位階層表示エリア３に選択エリア２に存在する上位階層のアイコンの複数の下位階層のアイコンが表示されるものである。
ｃ．【００４０】の記載及び図９の（ａ）図、（ｂ）図によれば、ポインティング部１１２の回転操作部６１の右回りの操作またはカーソル移動キー６２の右キー６２ｄの操作で、図９の（ａ）図の状態から、上位階層のアイコンＡからＨがそれぞれ右回りに１個ずつ移動して、図９の（ｂ）図に示すように、アイコンＢが選択エリア２に移動した状態にすることができ、この表示画面では、アイコンＢが選択エリア２に存在するので、下位階層表示エリア３にアイコンＢの下位階層のアイコンＢ−１からＢ−８が表示される。　　
　上記ａ．〜ｃ．によれば、引用文献には、次の発明（以下、「引用発明」という。）が記載されている。
「ポインティング部１１２の操作信号をＣＰＵ１２１が受け付けて、これに基づいて、メモリ１１７から各種の画像データを呼び出してディスプレイ部１０１に表示するものであり、
　ポインティング部１１２を操作することで、ディスプレイ部１０１にメニュー画面となる表示画面１０ｂを表示させることができ、
表示画面１０ｂは、表示画面の片側に縦長の軌道１の一部を表示し、他の片側に下位階層表示エリア３を備えたものであり、
　前記軌道１上には、上位階層のアイコンＡからＨが配置されており、前記軌道の一部の表示は、上下方向の中央に配置される選択エリア２に何れかの上位階層のアイコンを表示し、その上下位置に少なくともその前後の上位階層のアイコンが表示されるものであって、一つの上位階層のアイコンを選択エリア２に移動した状態にすることができ、下位階層表示エリア３に選択エリア２に存在する上位階層のアイコンの複数の下位階層のアイコンが表示されるものであり、
　選択エリア２に上位階層のアイコンＡを表示し、下位階層表示エリア３にアイコンＡの下位階層のアイコンＡ−１からＡ−８が表示された状態で、ポインティング部１１２の回転操作部６１の操作で、上位階層のアイコンＡからＨがそれぞれ右回りに１個ずつ移動して、アイコンＢが選択エリア２に移動した状態にすることができ、この表示画面では、アイコンＢが選択エリア２に存在するので、下位階層表示エリア３にアイコンＢの下位階層のアイコンＢ−１からＢ−８が表示される、
　携帯電話１００ｂ。」
（２）原査定において、原出願の出願日前の周知技術を示す文献として引用された特開２００９−３０３１４３号公報（以下、「周知文献」という。）には、図面とともに次の記載がある。
「【００７２】
　図３において、下側ＬＣＤ１２には５つのアイコンＩ（アイコンＩ９、Ｉ１０、Ｉ１１、Ｉ１２、Ｉ１３）、吹き出しＢ、スライドバーＳＢ、およびカーソルＣが表示されている。これらの画像は、予め登録されたファイルやプログラムをアイコンＩで一覧表示し、タッチパネル１３へのタッチ操作等によってアイコンＩに関連するファイルやプログラムを起動するアプリケーションソフト（ランチャー）を、ＣＰＵ３１が実行することによって表示されている。
【００７３】
　アイコンＩは、それぞれ予め登録されたファイルやプログラム（典型的には、ＣＰＵ３１によって実行可能なコンピュータプログラム）に関連付けられた画像である。ユーザはアイコンＩを利用して所望のプログラムを起動させることができる。ここで、本実施形態では全部で２４個のアイコンＩ（アイコンＩ１〜Ｉ２４）が図４に示すように順序づけられており、この順序にしたがって、それらの２４個のアイコンＩのうちの数個が画面の所定領域Ａｉ（以下、アイコン列表示領域Ａｉと称す）に表示される。図３においては、破線で囲った領域を、アイコン列表示領域Ａｉとしている。ユーザは、アイコン列表示領域Ａｉに表示されているアイコン列から所望のプログラムに対応するアイコンＩを選択することによって、当該所望のプログラムをＣＰＵ３１に実行させることができる。また、ユーザは、アイコン列表示領域Ａｉに表示されているアイコン列をスクロールさせることによって、任意のアイコンを下側ＬＣＤ１２に表示させて選択することができる。
【００７４】
　吹き出しＢは、アイコン列表示領域Ａｉの中央に表示されているアイコン（図３の例ではアイコンＩ１１）に関する説明文（そのアイコンＩ１１に対応するプログラム名やプログラムの説明等）を、ユーザに提供するための画像である。
・・・中略・・・
【００７６】
　そして、ユーザがアイコン列表示領域Ａｉの中央のアイコンＩ１１をタッチペン２７でタップ操作すると、タップ操作されたアイコンＩ１１に関連付けられたプログラムが実行される。また、図３の状態において、ユーザがアイコン列表示領域Ａｉの中央のアイコンＩ１１以外のアイコンＩ（アイコンＩ９、Ｉ１０、Ｉ１２、Ｉ１３）をタッチペン２７でタップ操作すると、タップ操作されたアイコンＩがアイコン列表示領域Ａｉの中央に向かって移動するようにアイコン列がスクロールする。
【００７７】
　なお、上述したようなアイコン操作方法は、ハードウェアスイッチ（操作ボタン１４）を代用して行うこともできる。例えば、図３の状態でユーザが操作ボタン１４Ｄを押下すると、アイコン列表示領域Ａｉの中央のアイコンＩ１１に関連するプログラムが起動される。また、ユーザが右ボタン（すなわち方向入力ボタン１４Ａの右部分）を押下すると、アイコン列がアイコンＩの１個分だけ画面の右方向にスクロールする。また、ユーザが左ボタン（すなわち方向入力ボタン１４Ａの左部分）を押下すると、アイコン列がアイコンＩの１個分だけ画面の左方向にスクロールする。」
　上記記載によれば、「タッチパネルにおけるタップ操作を、アイコンの選択指示として取得し、アイコン列表示領域の中央のアイコン以外のアイコンをタップ操作すると、タップ操作されたアイコンがアイコン列表示領域の中央に向かって移動するようにアイコン列をスクロールすること」（以下、「周知技術」という。）は、原出願の出願日前に周知技術である。
第３　対比
　本願発明と引用発明とを対比する。
・引用発明の「ディスプレイ部１０１」は、本願発明の「タッチパネルを有するディスプレイ」と、「ディスプレイ」である点では共通する。
　そして、引用発明の「携帯電話１００ｂ」は、「ポインティング部１１２の操作信号をＣＰＵ１２１が受け付けて、これに基づいて、メモリ１１７から各種の画像データを呼び出してディスプレイ部１０１に表示する」から、本願発明の「コンテンツに関連する表示物のデータを取得する取得部と、タッチパネルを有するディスプレイに表示する画像を生成する表示制御部とを備え」る「電子機器」と、「表示物のデータを取得する取得部と、ディスプレイに表示する画像を生成する表示制御部とを備え」る「電子機器」である点では共通する。
・引用発明の「上位階層のアイコン」は、本願発明の「複数の表示物」に相当し、引用発明の「上位階層のアイコン」を表示する制御を司る部分は、本願発明の「複数の表示物を並べて配置する表示処理部」に相当する。
・引用発明の「選択エリア２」に表示する「上位階層のアイコン」は、本願発明の「選択された第１表示物」に相当し、引用発明の「選択エリア」の上下位置に表示される「その前後の上位階層のアイコン」は、本願発明の「選択されていない第２の表示物」に相当し、引用発明の「表示画面１０ｂ」の「軌道の一部を表示」している部分は、本願発明の「第１表示領域」に相当する。
・引用発明の「下位階層表示エリア３」は、本願発明の「第２表示領域」に相当し、「選択エリア２に存在する上位階層のアイコンの複数の下位階層のアイコン」は、本願発明の「選択された第１表示物に対応付けられているコンテンツのアイコン画像」と、「選択された第１表示物に対応付けられているアイコン画像」である点では共通する。　　
・引用発明は「ポインティング部１１２の回転操作部６１の操作で、上位階層のアイコンＡからＨがそれぞれ右回りに１個ずつ移動して、アイコンＢが選択エリア２に移動した状態にする」ことができ、当該操作によるアイコンＢの選択エリアへの移動をアイコンＢの選択指示として取得していることは明らかであり、引用発明の「当該操作によるアイコンＢの選択エリアへの移動をアイコンＢの選択指示として取得」する部分は、本願発明の「タッチパネルにおける表示物に対するタップ操作を、表示物の選択指示として取得する受付部」と、「表示物に対する操作を、表示物の選択指示として取得する受付部」である点では共通する。
・引用発明の「一つの上位階層のアイコンを選択エリア２に移動した状態にすることができ、下位階層表示エリア３に選択エリア２に存在する上位階層のアイコンの複数の下位階層のアイコンが表示」される制御を司る部分は、本願発明の「受付部がタップ操作による第１表示物の選択指示を取得すると、」「第１表示領域に、選択された第１表示物と、選択されていない第２表示物とを含む複数の表示物を並べて表示しつつ、第２表示領域に、選択された第１表示物に対応付けられているコンテンツのアイコン画像およびコンテンツ情報を並べた第１コンテンツリストを表示する」表示処理部と、「受付部が操作による第１表示物の選択指示を取得すると、」「第１表示領域に、選択された第１表示物と、選択されていない第２表示物とを含む複数の表示物を並べて表示しつつ、第２表示領域に、選択された第１表示物に対応付けられているアイコン画像を並べた第１リストを表示する」表示処理部である点では共通している。
・引用発明の「選択エリア２に上位階層のアイコンＡを表示し、下位階層表示エリア３にアイコンＡの下位階層のアイコンＡ−１からＡ−８が表示された状態で、ポインティング部１１２の回転操作部６１の右回りの操作で、上位階層のアイコンＡからＨがそれぞれ右回りに１個ずつ移動して、アイコンＢが選択エリア２に移動した状態にすることができ、この表示画面では、アイコンＢが選択エリア２に存在するので、下位階層表示エリア３にアイコンＢの下位階層のアイコンＢ−１からＢ−８が表示される」制御を司る部分は、本願発明の「第１表示領域における所定領域に、選択された第１表示物を配置し、前記受付部が、第１表示領域におけるタップ操作による第２表示物の選択指示を取得すると、」「第１表示領域における所定領域に、選択された第２表示物を移動させるとともに、第２表示領域に、選択された第２表示物に対応付けられているコンテンツのアイコン画像およびコンテンツ情報を並べた第２コンテンツリストを表示する」表示処理部と、「第１表示領域における所定領域に、選択された第１表示物を配置し、受付部が、第１表示領域における操作による第２表示物の選択指示を取得すると、第１表示領域における所定領域に、選択された第２表示物を移動させるとともに、第２表示領域に、選択された第２表示物に対応付けられているアイコン画像を並べた第２リストを表示する」表示処理部である点では共通している。
　　　　
　したがって、両者は、以下の点で一致し、また、相違する。
＜一致点＞
「電子機器であって、
　表示物のデータを取得する取得部と、
　ディスプレイに表示する画像を生成する表示制御部とを備え、
　前記表示制御部は、
　複数の表示物を並べて配置する表示処理部と、
　表示物に対する操作を、表示物の選択指示として取得する受付部とを、有し、
　前記受付部が操作による第１表示物の選択指示を取得すると、前記表示処理部は、第１表示領域に、選択された第１表示物と、選択されていない第２表示物とを含む複数の表示物を並べて表示しつつ、第２表示領域に、選択された第１表示物に対応付けられているアイコン画像を並べた第１リストを表示するものであって、前記表示処理部は、第１表示領域における所定領域に、選択された第１表示物を配置し、
　前記受付部が、第１表示領域における操作による第２表示物の選択指示を取得すると、前記表示処理部は、第１表示領域における所定領域に、選択された第２表示物を移動させるとともに、第２表示領域に、選択された第２表示物に対応付けられているアイコン画像を並べた第２リストを表示する、
　ことを特徴とする電子機器。」
　　
＜相違点１＞
　本願発明は、取得部が、「コンテンツに関連する表示物のデータ」を取得しており、第１リストが、「選択された第１表示物に対応付けられているコンテンツのアイコン画像およびコンテンツ情報を並べた第１コンテンツリスト」であり、第２リストが「選択された第２表示物に対応付けられているコンテンツのアイコン画像およびコンテンツ情報を並べた第２コンテンツリスト」であるのに対して、引用発明は、取得部は、アイコン等の各種の画像データを取得しているものの、「コンテンツに関連する」画像データと特定されておらず、第１リスト及び第２リストが選択された表示物に対応付けられているアイコン画像を並べたものではあるが、「コンテンツのアイコン画像およびコンテンツ情報を並べたコンテンツリスト」とされていない点。　　
＜相違点２＞
　本願発明では、「ディスプレイ」が「タッチパネルを有するディスプレイ」であり、「受付部」が、「表示物の選択指示」、「第１表示物の選択指示」、「第２表示物の選択指示」として取得する「操作」が、「タッチパネルにおける表示物に対するタップ操作」であるのに対して、引用発明では、「ディスプレイ」が「タッチパネル」を有しておらず、「受付部」が、「表示物の選択指示」、「第１表示物の選択指示」、「第２表示物の選択指示」として取得する「操作」が、「ポインティング部１１２の回転操作部６１」による「上位階層のアイコン」の「選択エリア２」への移動操作である点。　　　
第４　当審の判断
・相違点１について
　引用文献１の摘記事項（ウ）（【００３０】）に「上位階層のアイコンＡの下位階層のアイコンの機能である小項目Ａ１はＥメールを、小項目Ａ２はメッセージを、小項目Ａ３はチャットを表すとする。アイコンＢは小項目Ｂ１〜Ｂ４に分かれており、例えばＢ３はマイデータ設定を示す。アイコンＣは小項目Ｃ１〜Ｃ４に分かれており、例えばＣ４はアプリケーションを示す。」と記載、すなわち、上位階層及び下位階層のアイコンのデータがコンテンツに関連するものを含むことが記載されている。
　したがって、引用発明において、取得部が、「コンテンツに関連する表示物のデータ」を取得しており、表示する第１リストが、「選択された第１表示物に対応付けられているコンテンツのアイコン画像およびコンテンツ情報を並べた第１コンテンツリスト」であり、表示する第２リストが「選択された第２表示物に対応付けられているコンテンツのアイコン画像およびコンテンツ情報を並べた第２コンテンツリスト」であるようにすることは、当業者が容易になし得ることである。
・相違点２について
　上記周知文献の【００７７】に「なお、上述したようなアイコン操作方法は、ハードウェアスイッチ（操作ボタン１４）を代用して行うこともできる。」と記載されているように、上記周知技術のアイコン操作方法は、タッチパネルにおけるタップ操作で行うこともできるし、ハードウェアスイッチを用いて行うこともできるものであるから、引用発明において、タッチパネルを有するディスプレイを用いた上記周知技術を採用することは当業者が容易に想到し得ることである。
　したがって、引用発明において、上記周知技術を採用して、「ディスプレイ」を「タッチパネルを有するディスプレイ」とし、「表示物の選択指示」、「第１表示物の選択指示」、「第２表示物の選択指示」として「受付部」が取得する「操作」を、「タッチパネルにおける表示物に対するタップ操作」とすることは、当業者が容易になし得ることである。
　
　本願発明によってもたらされる効果は、引用発明及び周知技術から、当業者が容易に想到し得た構成のものが奏するであろうと当業者が予想できる範囲内のものであり、本願発明の進歩性を肯定する根拠となり得るものではない。　　
　　　
　したがって、本願発明は、引用発明及び周知技術に基づいて当業者が容易に発明をすることができたものである。
　　　　　　
第５　むすび
　以上のとおり、本願発明は、引用発明及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。